(57)【特許請求の範囲】
【請求項１】
箱に組み立てられる包装材であって、
所定形状に切り出された板紙からなる本体と、熱により収縮して溶着する性質のフィルムと、からなり、
前記本体は、箱の厚さ方向で対向する２面となる第１の主板および第２の主板と、両主板の間に配置されて箱の底面となる底板と、各主板の両側に配置されて箱の側面を構成する側板と、を有する形状で、第１および第２の主板と底板との境界にそれぞれ第１の折り目が形成され、第１および第２の主板と各側板との境界にそれぞれ第２の折り目が形成され、
前記フィルムは、前記本体の板面全体を覆い、且つ、前記第１および第２の主板の各側板の外側に張り出す第１および第２の側方耳部と、前記第１および第２の主板の箱の開口となる側に張り出す第１および第２の開口側耳部と、を有する形状であり、
前記フィルムは、前記本体の少なくとも前記側板に固定されていることを特徴とする包装材。
【請求項２】
前記フィルムは、前記本体の底板と、前記側板の箱の開口の幅方向両端となる部分に固定されている請求項１記載の包装材。
【請求項３】
前記本体は、前記第１および第２の主板の箱の開口となる側に、箱の蓋となる蓋板を有し、第１および第２の主板と蓋板との境界に第３の折り目が形成されている請求項１又は２記載の包装材。
【請求項４】
請求項１記載の包装材を用いた物品の包装方法であって、
前記フィルムの前記本体の第１の主板を覆っている部分に物品を置き、前記フィルムを内側にして前記本体を第１の折り目で折り曲げることで、前記物品の上を前記フィルムを介して前記本体の第２の主板で覆い、両主板の各側板同士を前記フィルムを介して近接させ、前記側板の外側に張り出した前記フィルムの第１の側方耳部と第２の側方耳部が重なり、前記主板の箱の開口となる側に張り出した前記フィルムの第１の開口側耳部と第２の開口側耳部が重なった状態とした後、
前記第１の側方耳部と第２の側方耳部が重なっている部分に熱風を当てることで、両耳部を熱で収縮させて溶着し、前記第１の開口側耳部と第２の開口側耳部が重なっている部分に熱風を当てることで、両耳部を熱で収縮させて溶着するとともに、
この熱収縮に伴う引張力により、各側板を第２の折り目で内側に折り曲げて箱の側面に配置することで、前記本体からなる箱を組み立てるとともに、前記箱内に前記フィルムからなる袋が固定され、この袋内に物品が配置された状態にすることを特徴とする包装方法。
【請求項５】
請求項２記載の包装材を用いた物品の包装方法であって、
前記フィルムの前記本体の第１の主板を覆っている部分に物品を置き、前記フィルムを内側にして前記本体を第１の折り目で折り曲げることで、前記物品の上を前記フィルムを介して前記本体の第２の主板で覆い、両主板の各側板同士を前記フィルムを介して近接させ、前記側板の外側に張り出した前記フィルムの第１の側方耳部と第２の側方耳部が重なり、前記主板の箱の開口となる側に張り出した前記フィルムの第１の開口側耳部と第２の開口側耳部が重なった状態とした後、
前記第１の側方耳部と第２の側方耳部が重なっている部分に熱風を当てることで、両耳部を熱で収縮させて溶着し、前記第１の開口側耳部と第２の開口側耳部が重なっている部分に熱風を当てることで、両耳部を熱で収縮させて溶着するとともに、
この熱収縮に伴う引張力により、各側板を第２の折り目で内側に折り曲げて箱の側面に配置することで、前記本体からなる箱を組み立てるとともに、前記箱内に、前記フィルムからなる袋が、箱の底面と開口の幅方向両端となる部分でハンモック状に固定され、この袋内に物品が配置された状態にすることを特徴とする包装方法。
【発明の詳細な説明】
【技術分野】
【０００１】
この発明は、箱に組み立てられる包装材およびこれを用いた包装方法に関する。
【背景技術】
【０００２】
近年、インターネットやカタログによる通信販売が増加し、これに伴って大量の商品が宅配便等で配送されている。配送で使用される包装材としては、段ボール箱や袋が使用されている。商品の包装に際しては、破損を防止するために、商品をエアクッションで包んだ状態で袋に入れたり、商品と段ボール箱の隙間を緩衝材で埋めたりすることが行われている。また、冊子やＣＤ等の配送には、エアクッション付き封筒等も使用されている。
【０００３】
下記の特許文献１には、エアクッション付き包装袋として、外装と内装の二重構造からなり、内装に商品を収納し、簡単な操作で外装と内装の間に空気を吹き込んでエアクッションを形成するものが開示されている。このエアクッション付き包装袋は、内装の大きさの範囲で複数の大きさの商品を包装でき、繰り返し使用することもできる。
下記の特許文献２には、シュリンクフィルムと包装箱を使用して緩衝材を用いずに梱包する方法が開示されている。この方法では、シュリンクフィルムを包装箱の内底面および／または側壁内面に、多数のピンポイント又は点線状もしくは渦巻き状に塗布された接着剤により固定し、シュリンクフィルムの長さ方向両端が、包装箱の開口部の天板フラップから所定長さではみ出すように配置する。そして、このシュリンクフィルムの上に商品を置き、シュリンクフィルムの長さ方向両端を加熱して、収縮させて溶着することにより商品を拘束している。
【先行技術文献】
【特許文献】
【０００４】
【特許文献１】特開２００３−２６２３３号公報
【特許文献２】特開２００２−１１４２１０号公報
【発明の概要】
【発明が解決しようとする課題】
【０００５】
配送で使用される包装材には、組み立てが簡単にでき、輸送作業や仕分け作業で扱い易く、安価であることが求められている。また、同じ箱で様々な大きさの物品を緩衝材無しで包装できるものであると、資源の無駄使いの解消やコスト削減など様々な点で有効であるが、特許文献１に開示された技術は、これらの全てを満足できるものではない。また、特許文献２の方法は、既に組み立てられた箱とシュリンクフィルムを組合せて使用する梱包方法である。
この発明の課題は、組み立てが簡単にでき、輸送作業や仕分け作業で扱い易く、安価に製造できる包装材と、これに加えて、同じ箱で様々な大きさの物品を緩衝材無しで包装できる包装材を提供することである。
【課題を解決するための手段】
【０００６】
上記課題を解決するために、この発明の包装材は、箱に組み立てられる包装材であって、所定形状に切り出された板紙からなる本体と、熱により収縮して溶着する性質のフィルムと、からなり、前記本体は、箱の厚さ方向で対向する２面となる第１の主板および第２の主板と、両主板の間に配置されて箱の底面となる底板と、各主板の両側に配置されて箱の側面を構成する側板と、を有する形状で、第１および第２の主板と底板との境界にそれぞれ第１の折り目が形成され、第１および第２の主板と各側板との境界にそれぞれ第２の折り目が形成され、前記フィルムは、前記本体の板面全体を覆い、且つ、前記第１および第２の主板の各側板の外側に張り出す第１および第２の側方耳部と、前記第１および第２の主板の箱の開口となる側に張り出す第１および第２の開口側耳部と、を有する形状であり、前記フィルムは、前記本体の少なくとも前記側板に固定されていることを特徴とする。
この発明の包装材は、所定形状に切り出された板紙からなる本体と、熱により収縮して溶着する性質のフィルムからなるため、安価に製造できる。また、箱に組み立てられるものであるため、袋状のものよりも輸送作業や仕分け作業で扱い易い。
【０００７】
この発明の包装材は、以下に示す、この発明の包装方法により使用される。
先ず、前記フィルムの前記本体の第１の主板を覆っている部分に物品を置く。次に、前記フィルムを内側にして前記本体を第１の折り目で折り曲げることで、前記物品の上を前記フィルムを介して前記本体の第２の主板で覆い、両主板の各側板同士を前記フィルムを介して近接させ、前記側板の外側に張り出した前記フィルムの第１の側方耳部と第２の側方耳部が重なり、前記主板の箱の開口となる側に張り出した前記フィルムの第１の開口側耳部と第２の開口側耳部が重なった状態とする。
【０００８】
次に、前記第１の側方耳部と第２の側方耳部が重なっている部分に熱風を当てることで、両耳部を熱で収縮させて溶着し、前記第１の開口側耳部と第２の開口側耳部が重なっている部分に熱風を当てることで、両耳部を熱で収縮させて溶着する。この熱収縮に伴う引張力により、各側板が第２の折り目で内側に折り曲がって箱の側面に配置されて、前記本体からなる箱が組み上がる。これと同時に、前記箱内に前記フィルムからなる袋が固定され、この袋内に物品が配置された状態になる。つまり、この発明の包装材は、簡単な方法で、箱に組み立てられて中に物品が入った状態にできる。
【０００９】
この発明の包装材において、前記フィルムは、前記本体の底板と、前記側板の箱の開口の幅方向両端となる部分に固定されていることが好ましい。これにより、前記フィルムの耳部の熱収縮に伴う引張力で前記本体からなる箱が組み上がる際に、前記箱内に、前記フィルムからなる袋が、箱の底面と開口の幅方向両端となる部分でハンモック状に固定され、この袋内に物品が配置された状態になる。そのため、緩衝材を用いなくても配送中の物品の破損が防止される。また、熱風処理の際に、前記フィルムは内包した物品の形状に沿って熱収縮するため、箱の大きさの範囲内で様々な大きさの物品を、緩衝材無しで包装できる。
この発明の包装材において、前記本体が、前記第１および第２の主板の箱の開口となる側に、箱の蓋となる蓋板を有し、第１および第２の主板と蓋板との境界に第３の折り目が形成されていると、前記蓋板を第３の折り目で折り曲げることで箱の開口を閉じることができる。
【発明の効果】
【００１０】
この発明の包装材は、安価に製造できるとともに、簡単な方法で包装体を作製すること（中に物品が入った状態で箱を組み立てること）ができ、箱に組み立てられるため輸送作業や仕分け作業で扱い易い。特に、本体に対するフィルムの固定位置を特定することで、緩衝材を用いなくても物品の破損が防止できるように包装でき、箱の大きさの範囲内で様々な大きさの物品に対応できる。
この発明の包装方法によれば、この発明の包装材を用いて簡単な方法で包装体が作製できる。特に、本体に対するフィルムの固定位置が特定された包装材を使用することで、緩衝材を用いなくても物品の破損が防止できるように包装でき、箱の大きさの範囲内で様々な大きさの物品に対応できる。
【図面の簡単な説明】
【００１１】
【図１】この発明の一実施形態に相当する包装材を示す平面図である。
【図２】図１の包装材を用いた物品の包装方法を説明する斜視図である。
【図３】図２の方法で作製された包装体を示す斜視図である。
【発明を実施するための形態】
【００１２】
以下、この発明の実施形態について説明する。
図１は、この実施形態の包装材を示す平面図である。
この包装材は、所定形状に切り出された段ボール紙（板紙）からなる本体１と、本体１より大きな長方形に切り出されたシュリンクフィルム（熱により収縮して溶着する性質のフィルム）２と、両者を固定する両面テープ３とで構成されている。図１は、本体１を上に向けて置いた状態を示している。
【００１３】
本体１は、第１の主板４、第２の主板５、底板６と、４枚の側板７，８と、２枚の蓋板９が結合された形状である。第１の主板４および第２の主板５は、箱に組み立てた時に、箱の厚さ方向で対向する２面となる。底板６は、両主板４，５の間に配置され、組み立てた箱の底面となる。側板７は、第１の主板４の両側に配置されている。側板８は、第２の主板５の両側に配置されている。箱に組み立てた時に、側板７と側板８により箱の側面が構成される。蓋板９は、両主板４，５の箱の開口となる側に配置され、箱の蓋になる。
【００１４】
本体１には、第１の主板４および第２の主板５と底板６との境界に、それぞれ折り目（第１の折り目）４６，５６が形成されている。第１の主板４および第２の主板５と各側板７，８との境界に、それぞれ折り目（第２の折り目）４７，５８が形成されている。第１の主板４および第２の主板５と蓋板９との境界に、折り目（第３の折り目）４９，５９が形成されている。これらの折り目４６，５６，４７，５８，４９，５９には、本体１の表面（フィルム２と反対側の板面）に切れ目が形成されて、これらの折り目６１で山折りされ易くなっている。
【００１５】
本体１の底板６の幅方向中心にも折り目６１が形成されている。この折り目６１で底板６が２枚の分割体６４，６５に分けられている。また、この折り目６１には、本体１の裏面（フィルム２側の板面）に切れ目が形成されて、この折り目６１で谷折りされ易くなっている。本体１の底板６の中央部と４枚の側板７，８の蓋板９側の端部（箱の開口の幅方向両端となる部分）に、各両面テープ３の一方の粘着面が貼り付けられている。各両面テープ３の他方の粘着面にシュリンクフィルム２が貼り付けられている。すなわち、シュリンクフィルム２は本体１の前記５カ所に両面テープ３で固定されている。
【００１６】
シュリンクフィルム２の本体１からはみ出す部分は、第１の主板４の各側板７の外側に張り出す側方耳部（第１の側方耳部）２１と、第２の主板５の各側板８の外側に張り出す側方耳部（第２の側方耳部）２２と、第１の主板４の蓋板９の外側（箱の開口となる側）に張り出す開口側耳部（第１の開口側耳部）２３と、第２の主板５の蓋板９の外側（箱の開口となる側）に張り出す開口側耳部（第２の開口側耳部）２４とに分けられる。
【００１７】
この包装材の使用方法について、図２を用いて説明する。
先ず、図２（ａ）に示すように、この包装材を、シュリンクフィルム２側を上に向けて置き、本体１の第１の主板４を覆っている部分の上に物品４０を置く。次に、シュリンクフィルム２を内側にして、本体１を折り目（第１の折り目）４６，５６で折り曲げることで、物品４０の上を、シュリンクフィルム２を介して本体１の第２の主板５で覆う。
【００１８】
これにより、図２（ｂ）に示すように、第１の主板４の側板７と第２の主板５の側板８をシュリンクフィルム２を介して近接させる。また、シュリンクフィルム２の側方耳部２１の上に側方耳部２２が重なり、開口側耳部２３の上に開口側耳部２４が重なった状態とする。そして、側方耳部２１，２２が重なっている部分に熱風を当てることで両耳部を熱で収縮させて溶着し、開口側耳部２３，２４が重なっている部分に熱風を当てることで両耳部を熱で収縮させて溶着する。
【００１９】
図２（ｃ）は、先ず、開口側耳部２３，２４に対する熱風処理を行った後、側方耳部２１，２２に対する熱風処理がなされた直後の状態を示している。この図に示すように、熱風処理でシュリンクフィルム２が熱収縮することに伴って生じた引張力により、側板７，８が折り目４７，５８で山折りされ（内側に折れ曲がり）、底板６の折り目６１が谷折りされる。その結果、本体１が箱１０に組み上がり、側板７，８で箱１０の各側面が断面Ｖ字状に構成され、底板６も分割体６４，６５により断面Ｖ字状に形成される。
【００２０】
また、図３に示すように、シュリンクフィルム２は内包した物品４０の形状に沿って熱収縮し、本体１からなる箱１０内にシュリンクフィルム２からなる袋２０が、箱１０の底面の中央部３０Ａと開口の幅方向両端となる部分３０Ｂ，３０Ｃ（両面テープ３による５カ所の固定点）でハンモック状に固定され、この袋２０内に物品４０が配置された状態になる。そして、図３に示すように、蓋板９を折り目４９，５９で山折りして箱１０の開口を閉じ、粘着テープ等で両蓋板９を結合すれば、配送用の包装体（物品４０が箱１０に入ったもの）が作製できる。
【００２１】
したがって、この実施形態の包装材によれば、簡単な方法で箱に組み立てられて中に物品が入った状態にすること（包装体を作製すること）ができ、緩衝材を用いなくても配送中の物品の破損が防止できる。また、箱の大きさの範囲内で様々な大きさの物品に対応できる。
なお、この実施形態の包装体は本体１が蓋板９を有するが、蓋板９は必ずしも本体１と一体に形成されている必要はない。蓋板９を本体１と一体に形成しない例としては、箱１０の開口を本体１とは別の部材で蓋をして閉じる場合や、箱１０の開口を閉じずに複数の包装体を大きな箱に詰めて配送する場合等が挙げられる。
【００２２】
また、この実施形態の包装体は、シュリンクフィルム２の本体１に対して前記５カ所で固定されているが、熱収縮により形成されるシュリンクフィルム２からなる袋が箱１０に対してハンモック状に固定されれば、他の位置で固定されていてもよい。
さらに、シュリンクフィルム２は本体１に対して、少なくとも側板７，８に固定されていれば、側方耳部２１，２２に対する熱風処理で本体１が箱１０に組み上がり、側板７，８で箱１０の各側面が断面Ｖ字状に構成され、底板６も分割体６４，６５により断面Ｖ字状に形成される。
【符号の説明】
【００２３】
１  段ボール紙（板紙）からなる本体
２  シュリンクフィルム（熱により収縮して溶着する性質のフィルム）
２１  側方耳部（第１の側方耳部）
２２  側方耳部（第２の側方耳部）
２３  開口側耳部（第１の開口側耳部）
２４  開口側耳部（第２の開口側耳部）
３  両面テープ
４  第１の主板
４６  折り目（第１の折り目）
４７  折り目（第２の折り目）
４９  折り目（第３の折り目）
５  第２の主板
５６  折り目（第１の折り目）
５８  折り目（第２の折り目）
５９  折り目（第３の折り目）
６  底板
６１  底板の折り目
６４  底板の分割体
６５  底板の分割体
７  側板
８  側板
９  蓋板
１０  箱
４０  物品
【図１】
0005431902.tif 000002
【図２】
0005431902.tif 000003
【図３】
0005431902.tif 000004